(57)【要約】【課題】  復調・デコードに十分な受信強度が得られている場合に、エラーが多発して視聴不能あるいは記録不能な状態となるような受信環境でも、受信品質を的確に識別表示することができるようにする。【解決手段】  移動体向けデジタル放送用受信装置１４の受信品質管理制御部１４７において、チューナ１４２から、受信復調の際に得られる、受信レベルを一定に保持するためのＡＧＣ値及び復調処理の指標となるＢＥＲ値を取り込み、エラー訂正部１４３から、受信したＴＳパケットのＣＲＣエラー検出情報を取り込み、映像・音声デコーダ１４４からＴＳ復号時のデコードエラー情報を取り込んでそれぞれ受信品質判断のパラメータとし、各パラメータの値から総合的に、かつ段階的に受信状況、受信品質を評価判断して段階的に表示させ、また受信状況・品質が低い場合には視聴・記録が出来ない旨のワーニング表示を実行する。【選択図】      図１
2006020236.tif 000002
【特許請求の範囲】
【請求項１】
アンテナにて受信された移動体向けデジタル放送信号をチューナで復調し、エラー訂正部でエラー訂正を施し、デコーダで元の番組コンテンツをデコードする受信装置において、
前記チューナで得られる受信強度情報に基づいて受信エラーを判断する第１の判断手段と、
前記エラー訂正部で得られるエラー検出情報に基づいて受信エラーを判断する第２の判断手段と、
前記第１及び第２の判断手段の判断結果に基づいて受信品質を段階的に識別表示する品質管理手段とを具備し、
前記品質管理手段は、前記第１の判断手段で受信エラーと判断されたとき、または前記第１の判断手段では受信エラーと判断されないが前記第２の判断手段で受信エラーと判断されたときは前記受信品質が低の第１のレベルを識別表示し、前記第１及び第２の判断手段でいずれも受信エラーと判断されない場合に前記第１のレベルより高い第２のレベルを識別表示することを特徴とする移動体向けデジタル放送用受信装置。
【請求項２】
さらに、前記デコーダで得られるエラー検出結果に基づいて受信エラーを判断する第３の判断手段を備え、
前記品質管理手段はさらに前記第３の判断手段で受信エラーと判断されたとき、前記第２のレベルと同じまたはそれより高い第３のレベルを識別表示し、第３の判断手段でも受信エラーと判断されない場合に前記第１乃至第３のレベルより高い第４のレベルで識別表示することを特徴とする請求項１記載の移動体向けデジタル放送用受信装置。
【請求項３】
前記品質管理手段は、さらに前記品質表示の表示レベルに応じて受信可能／不能を識別表示することを特徴とする請求項１記載の移動体向けデジタル放送用受信装置。
【請求項４】
前記品質管理手段は、さらに前記品質表示に伴って記録可能／不能を識別表示することを特徴とする請求項１記載の移動体向けデジタル放送用受信装置。
【請求項５】
移動体向けデジタル放送信号を受信復調しエラー訂正を施して元の番組コンテンツをデコードする移動体向けデジタル放送用受信装置において、
前記受信復調時に得られるデジタル放送信号の受信強度情報に基づいて受信エラーを判断する第１の判断ステップと、
前記エラー訂正時に得られるエラー検出情報に基づいて受信エラーを判断する第２の判断ステップと、
前記第１及び第２の判断ステップの判断結果に基づいて受信品質を段階的に識別表示する品質管理ステップとを具備し、
前記品質管理ステップは、前記第１の判断ステップで受信エラーと判断されたとき、または前記第１の判断ステップでは受信エラーと判断されないが前記第２の判断ステップで受信エラーと判断されたときは前記受信品質が低の第１のレベルを識別表示し、前記第１及び第２の判断ステップでいずれも受信エラーと判断されない場合に前記第１のレベルより高い第２のレベルを識別表示することを特徴とする移動体向けデジタル放送用受信装置の受信品質表示方法。
【発明の詳細な説明】
【技術分野】
【０００１】
本発明は、移動体向けデジタル放送を移動体でまたは携帯して受信する移動体向けデジタル放送用受信装置に係り、特に受信品質を適切に表示するための技術に関する。
【背景技術】
【０００２】
現在、移動体向けに衛星経由でデジタル放送サービスを提供する移動体向け放送システムの開発が進められている。この放送システムは、ＭＰＥＧ−４（Moving Picture Experts Group phase 4）方式により圧縮符号化された複数の番組コンテンツのトランスポートストリームを、スペクトラム拡散技術を用いたＣＤＭ（符号分割多重）方式により多重して放送信号を生成し、衛星経由で所定のサービスエリアに向けて送信する。そして、サービスエリアには、衛星からの放送波が届かない範囲でも受信可能とならしめるために、ギャップフィラー（再送中継器）を設置して、衛星からの放送波をその遮蔽範囲に向けて再送する方法を採用する。すなわち、移動体側の受信装置は、衛星放送波が受かる領域ではその衛星放送波を受信復調し、衛星放送波の電波が微弱となった場合にギャプフィラーの再送中継波が受かる場合には、その再送中継波を受信復調する。
【０００３】
ところで、上記の移動体向けデジタル放送用受信装置は、他の移動体向け通信装置や受信装置と同様に、ユーザに受信点での受信レベルを視覚的に表示させることが望ましい。既に普及されている携帯電話機では、受信状況を使用者に認識させる方法として、アンテナのキャラクタによるレベル表示が広く用いられている。但し、このアンテナレベルは、例えばデジタルチューナのビットレートエラー値（ＢＥＲ値）あるいは受信レベルを一定にするための自動利得制御値（ＡＧＣ値）に基づいて受信強度を評価している。
【０００４】
しかしながら、上記放送に代表される移動体向けデジタル放送を主に移動体でまたは携帯して受信するためのデジタル放送用受信装置では、復調・デコードに十分な受信強度が得られている場合でも、受信環境によってはフェージング、マルチパス等の妨害波の影響によって番組コンテンツのストリーム自体が損傷を受けてしてしまい、エラーが多発して視聴不能あるいは記録不能な状態となることがある。このような状況下において、従来のＢＥＲ値またはＡＧＣ値を利用したレベル表示方法では、いずれも高い数値を示すため、良好な受信を指し示すことになり、ユーザに誤った情報を提示してしまう。
【０００５】
尚、本発明に関連する従来技術として、特許文献１にデジタル放送受信装置の受信状況の多面的な診断が簡単、迅速、かつ的確に行うことができる受信状況診断システムが開示されている。但し、この文献に記載される診断システムは、衛星デジタル放送用受信装置を対象としているが、ここで示される衛星デジタル放送は固定受信端末向けであり、アンテナ設置時の調整あるいは降雨等の劣悪な受信環境での衛星放送波の受信状況を識別表示することを目的としており、そもそも放送自体が移動体向けでなく、移動体搭載または携帯用として利用することを想定したものではない。
【特許文献１】特開２０００−０４９７２０号公報
【発明の開示】
【発明が解決しようとする課題】
【０００６】
以上述べたように、デジタル放送用受信装置にあっては、復調・デコードに十分な受信強度が得られている場合でも、受信環境によっては、エラーが多発して視聴不能あるいは記録不能な状態となるにもかかわらず、従来の受信状況を識別表示する手法では、ユーザに誤った情報を提示してしまうことがあった。
【０００７】
本発明は、上記の問題を解決し、復調・デコードに十分な受信強度が得られている場合に、エラーが多発して視聴不能あるいは記録不能な状態となるような受信環境でも、的確に受信品質を識別表示することのできる移動体向けデジタル放送用受信装置とその受信品質表示方法を提供することを目的とする。
【課題を解決するための手段】
【０００８】
上記問題を解決するために、本発明は、アンテナにて受信された移動体向けデジタル放送信号をチューナで復調し、エラー訂正部でエラー訂正を施し、デコーダで元の番組コンテンツをデコードする受信装置において、
前記チューナで得られる受信強度情報に基づいて受信エラーを判断する第１の判断手段と、
前記エラー訂正部で得られるエラー検出情報に基づいて受信エラーを判断する第２の判断手段と、
前記第１及び第２の判断手段の判断結果に基づいて受信品質を段階的に識別表示する品質管理手段とを具備し、
前記品質管理手段は、前記第１の判断手段で受信エラーと判断されたとき、または前記第１の判断手段では受信エラーと判断されないが前記第２の判断手段で受信エラーと判断されたときは前記受信品質が低の第１のレベルを識別表示し、前記第１及び第２の判断手段でいずれも受信エラーと判断されない場合に前記第１のレベルより高い第２のレベルを識別表示することを特徴とする。
【０００９】
また、前記移動体向けデジタル放送用受信装置に用いられる受信品質表示方法としては、前記受信復調時に得られるデジタル放送信号の受信強度情報に基づいて受信エラーを判断する第１の判断ステップと、前記エラー訂正時に得られるエラー検出情報に基づいて受信エラーを判断する第２の判断ステップと、前記第１及び第２の判断ステップの判断結果に基づいて受信品質を段階的に識別表示する品質管理ステップとを具備し、前記品質管理ステップは、前記第１の判断ステップで受信エラーと判断されたとき、または前記第１の判断ステップでは受信エラーと判断されないが前記第２の判断ステップで受信エラーと判断されたときは前記受信品質が低の第１のレベルを識別表示し、前記第１及び第２の判断ステップでいずれも受信エラーと判断されない場合に前記第１のレベルより高い第２のレベルを識別表示することを特徴とする。
【００１０】
すなわち、上記構成による移動体向けデジタル放送用受信装置とその受信品質識別方法では、チューナで得られる受信強度情報だけでなく、必ずエラー検出情報を参照して視聴不能または記録不能な状態を識別判断するようにしている。
【発明の効果】
【００１１】
本発明によれば、復調・デコードに十分な受信強度が得られている場合に、エラーが多発して視聴不能あるいは記録不能な状態となるような受信環境でも、的確に受信品質を識別表示することのできる移動体向けデジタル放送用受信装置とその受信品質表示方法を提供することを提供することができる。
【発明を実施するための最良の形態】
【００１２】
以下、図面を参照して本発明の実施の形態を詳細に説明する。
【００１３】
図１は本発明に係る移動体向けデジタル放送システムとその受信装置の一実施形態を示すブロック図である。図１において、１１は放送局であり、この放送局１１ではそれぞれＭＰＥＧ−４方式で圧縮符号化された複数の番組コンテンツ（音声、映像、データの少なくともいずれかで構成される）のトランスポートストリームをＣＤＭ方式で多重してデジタル放送信号を生成し、衛星１２を介して所定サービスエリアに向けて送出する。サービスエリア内には、衛星１２からの放送波を受信して衛星１２からの直接波が届かない地域に向けて再送するギャップフィラー装置１３が要所要所に設置されており、サービスエリア内に配置される受信装置１４は少なくとも衛星１２からの直接波かギャップフィラー装置１３からの再送波のいずれかを受信することになる。
【００１４】
上記受信装置１４において、１４１はアンテナであり、このアンテナ１１で捕捉されたデジタル放送信号はチューナ１４２で受信復調された後、エラー訂正部１４３でＣＲＣ（Cyclic Redundancy Check）エラー検出及びその検出結果に基づくエラー訂正が施される。そして、映像・音声デコーダ１４４で元の番組コンテンツがデコードされ、視聴再生部１４５にて映像表示、音響再生される。また、ユーザ指示あるいは放送番組内容に応じていったん記録部１４６に記録され、必要に応じて視聴再生部１４５を通じて視聴再生される。
【００１５】
また、上記受信装置１４には、ユーザに受信状況とその品質を提示するため、受信品質管理制御部１４７が設けられている。この受信品質管理制御部１４７は、上記チューナ１４２から、受信復調の際に得られる、受信レベルを一定に保持するためのＡＧＣ値及び復調処理の指標となるビットレートエラー値（ＢＥＲ値）を取り込み、エラー訂正部１４３から、受信したトランスポートストリームのセクションパケットのＣＲＣエラー検出情報及びＰＡＴ（Program Association Table）が連続して取得されないエラー検出情報（以下、ＰＡＴ取得エラー検出情報）を取り込み、映像・音声デコーダ１４４からＴＳ復号時のデコードエラー情報を取り込む。そして、それぞれの情報を受信品質判断のパラメータとし、各パラメータの値から総合的に、かつ段階的に受信状況、受信品質を評価判断する。さらに、上記受信品質判断結果に基づいて、受信状況・品質の段階的な表示を視聴再生部１４５を通じて表示させ、また受信状況・品質の段階によっては視聴・記録が出来ない旨のワーニング表示を実行する。
【００１６】
上記受信品質管理制御部１４８の処理手順を、図２に示すフローチャートと図３に示す表示例を参照して説明する。
【００１７】
まず、受信開始に伴って、チューナ１４２からＡＧＣ値及びＢＥＲ値を取り込んで受信強度を測定し（ステップＳ１１）、その測定結果から受信エラーを判断する（ステップＳ１２）。この判断で受信エラーならば（ＹＥＳ）、図３（ａ）に示すように、受信品質を「最低」のレベルで表示し、合わせて受信／記録ができない旨をワーニング（warning）表示する（ステップＳ１３）。
【００１８】
次に、上記ステップＳ１２の判断でエラーが検出されなかった場合（ＮＯ）には、エラー訂正部１４３からＣＲＣエラー検出結果、ＰＡＴ取得エラー検出結果を取り込んで（ステップＳ１４）、それぞれの検出結果に基づいてエラー訂正が不能となる受信エラーを判断する（ステップＳ１５）。この判断で受信エラーならば（ＹＥＳ）、図３（ｂ）に示すように、受信品質を「低」のレベルで表示し、合わせて受信／記録ができない旨をワーニング（warning）表示する（ステップＳ１３）。
【００１９】
次に、上記ステップＳ１５の判断でエラーが検出されなかった場合（ＮＯ）には、さらに映像・音声デコーダ１４４からデコードエラー検出結果を取り込み（ステップＳ１７）、デコードエラーの有無を判断する（ステップＳ１８）。デコードエラーがあった場合（ＹＥＳ）には、図３（ｃ）に示すように、部分的な視聴が不可（例えば音声は再生できるが映像は表示できない）として受信品質を「中」のレベルで表示し、合わせて記録ができない旨をワーニング表示する（ステップＳ１９）。上記ステップＳ１８の判断でデコードエラーがなかった場合（ＮＯ）には、図３（ｄ）に示すように、受信品質を「高」のレベルで表示し、ワーニング表示は行わない（ステップＳ２０）。
【００２０】
以上のステップＳ１１〜Ｓ２０の処理を繰り返す。これにより、受信品質が常時監視され、受信エラーまたはデコードエラーの発生状況に応じて受信品質が「最低」、「低」、「中」、「高」の４段階で的確に表示することが可能となり、同時に受信／記録それぞれの可否を的確に提示することも可能となる。
【００２１】
したがって、上記構成による移動体向けデジタル放送用受信装置によれば、復調・デコードに十分な受信強度が得られている場合に、エラーが多発して視聴不能あるいは記録不能な状態となるような受信環境でも、的確に受信品質を識別表示することができる。
【００２２】
尚、上記実施形態では、アンテナキャラクタによるレベル表示で受信品質を表現するようにしたが、他の表現方法であってもかまわない。また、その品質レベルの表示段階は任意である。また、上記実施形態では、受信品質と共に受信・記録の不可状態をワーニング表示するようにしたが、本発明はワーニング表示の形態に限定されるものではない。
【００２３】
また、上記実施形態では、衛星経由の移動体向けデジタル放送用の受信装置について説明したが、地上波デジタル放送においても放送帯域の一部（１３セグメント中の１セグメント）を移動体向けとして放送することが予定されている。本発明はこの地上波デジタル放送における移動体向けデジタル放送用受信装置にも適用可能である。
【００２４】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２５】
【図１】本発明に係る移動体向けデジタル放送システムとその受信装置の一実施形態を示すブロック図。
【図２】図１の受信装置における受信品質管理制御部の処理手順を示すフローチャート。
【図３】図２の処理手順における受信品質のレベル表示及びワーニング表示の例を示す図。
【符号の説明】
【００２６】
１１…放送局、１２…衛星、１３…ギャップフィラー装置、１４…受信装置、１４１…アンテナ、１４２…チューナ、１４３…エラー訂正部、１４４…映像・音声デコーダ、１４５…視聴再生部、１４６…記録部、１４７…受信品質管理制御部。
【図１】
2006020236.tif 000003
【図２】
2006020236.tif 000004
【図３】
2006020236.tif 000005